(57)【特許請求の範囲】
【請求項１】
遊技盤の遊技領域へ遊技球を打ち込んで遊技が開始され、前記遊技領域には、複数の入賞口、遊技球の流下方向を変化させる風車、前記遊技盤の略中央に設けられるセンターケース、該センターケースの下方に設けられる始動領域などの構成部品が配置されたパチンコ機において、
前記遊技領域は、
前記遊技領域に配置されている状態の前記構成部品を複数のグループに分割し、その分割された各グループと、密に配列された釘の作用をする板状部材とをそれぞれ組み合わせたものをそれぞれ合成樹脂により一体成型した複数の遊技盤組立体と、
前記センターケースの頂部および前記始動領域の上方に独立して前記遊技盤に植設された複数の金属製釘とによってのみ構成されていることを特徴とするパチンコ機。
【発明の詳細な説明】
【０００１】
【発明の属する技術分野】
本発明は、遊技球が打ち込まれて流下する遊技盤の遊技領域を有するパチンコ機に関する。
【０００２】
【従来の技術】
パチンコ機では、遊技者が調節可能な強度で遊技球発射装置から遊技球を遊技盤の遊技領域内に打ち込むことにより遊技を開始する。図６は、典型的なパチンコ機の遊技盤10の正面図である。遊技盤10の遊技領域20内を流下する遊技球は、遊技領域20内に植設された多数の釘11等に衝突して径路を変更しながら流下する。
【０００３】
遊技領域20内を流下する遊技球が、遊技領域20内に配置された複数の入賞口12Ａ〜12Ｄの１つに入賞すると、遊技機内の賞球払出装置から遊技者に対して所定個数の遊技球が払い出される。一方、遊技球が始動領域に入賞すると、遊技領域20の略中心位置に設けられたセンターケース14内のカラー液晶表示パネル等で形成された図柄表示装置15の複数の図柄表示領域に表示される表示図柄を変動開始させて演出表示する。大当りの場合には、一定時間大入賞口16が開放し、遊技領域20内を流下する遊技球の多くが入賞可能な、遊技者に有利な遊技状態となる。
【０００４】
【発明が解決しようとする課題】
従来のパチンコ機の遊技盤10は、リサイクル等を容易にするために木製板部材に複数の風車17Ａ〜17Ｄ、入賞口12Ａ〜12Ｄ、始動領域13、大入賞口16および図柄表示装置15等の構成部品を取付けるとともに遊技領域20の全面に幾何学模様に植設された多数の金属製釘11により構成される。このように各種の構成部品12〜17を配置するとともに多数の釘11を予め決められたパターン状に植設することにより組立製造するのは労力を要し、またリサイクル時にこれら各種の構成部品12〜17および多数の釘11を遊技盤10の遊技領域20から分解することも困難である。木製遊技盤をプラスチック材料等に変更することも考えられるが、多数の釘11等を植設する作業性および強度において難点がある。
【０００５】
そこで、本発明は、従来技術の上述した課題を解決するために考えられたものであり、組立作業性および分解作業性を改善した遊技機を提供することを目的している。
【０００６】
【課題を解決するための手段】
本発明によるパチンコ機は、遊技盤の遊技領域へ遊技球を打ち込んで遊技が開始され、前記遊技領域には、複数の入賞口、遊技球の流下方向を変化させる風車、前記遊技盤の略中央に設けられるセンターケース、該センターケースの下方に設けられる始動領域などの構成部品が配置された遊技機において、前記遊技領域は、前記遊技領域に配置されている状態の前記構成部品を複数のグループに分割し、その分割された各グループと、密に配列された釘の作用をする板状部材とをそれぞれ組み合わせたものをそれぞれ合成樹脂により一体成型した複数の遊技盤組立体と、前記センターケースの頂部および前記始動領域の上方に独立して前記遊技盤に植設された複数の金属製釘とによってのみ構成されているものである。
【０００７】
また、遊技盤の遊技領域に設けられた複数の入賞口、遊技球の流下方向を変化させる風車、遊技盤の略中央に設けられたセンターケース、該センターケースの下方に設けられた始動領域などの構成部品および前記遊技領域に植設されて遊技球を反発させる多くの釘を備えたパチンコ機において、 前記構成部品および前記釘のうち密に配列された釘の作用をする板状部材を遊技盤組立体として形成し、前記遊技盤に取付けることができる。
【０００８】
本発明によるパチンコ機の好適な実施形態によると、遊技盤組立体は、上述した各種構成部品および板状部材を一体にまたは複数、例えば上下左右の４個に分割して合成樹脂により成型される。さらに、遊技盤は、上述した遊技盤組立体と、センターケースの頂部および始動領域の上部に独立して植設された複数の金属製釘とにより構成される。
【０００９】
【発明の実施の形態】
以下、本発明によるパチンコ機の好適な実施形態の構成および動作を、添付図面を参照して詳細に説明する。
【００１０】
図１は、本発明によるパチンコ機の好適な実施形態の完全に組み立てられた遊技盤を示す正面図である。この遊技盤10は、全体が略正方形であり、略円形の遊技領域20およびこの遊技領域20の外側に位置する枠部21により構成される。
【００１１】
遊技領域20に植設された金属製釘11には、衝突した遊技球を反発させて遊技球の径路を変更する釘と、複数の釘を遊技球の直径よりも密に配列して遊技球の流路を規制する釘とに分類することができる。この遊技球の流路を規制する密に配列された釘は、遊技球による衝撃を受けることが少ないので、本発明においては、密に配列された釘を板状部材に代えるものである。
【００１２】
遊技領域20内には、遊技球発射装置（図示せず）から発射された遊技球を案内するガイドレール22、「外れ」遊技球を機外へ移送するアウト口23、複数に分割して形成された遊技盤組立体30、40、50、60および独立して植設された複数の金属製釘70、72が設けられている。
【００１３】
一方、図２は、図１に示す遊技盤10の本体から遊技盤組立体30〜60を分離した分解図を示す。これら遊技盤組立体30〜60は、上部遊技盤組立体30、左遊技盤組立体40、右遊技盤組立体50および下部遊技盤組立体60であり、遊技盤10本体の円形遊技領域部に釘、ねじ、接着剤、両面粘着シート等を使用して取付けられる。図４および図５を参照して後述するように、これら遊技盤組立体30〜60は、上述した遊技盤の遊技領域20を構成する各種構成部品の一部および多数の釘に代わる板状部材を含み、適当な合成樹脂を使用して一体成型されている。
【００１４】
次に、図３は、木板により形成される遊技盤本体の正面図である。遊技領域20内には、それぞれ例えば６本の独立して植設された金属製釘よりなる天釘70および命釘72、特別図柄表示器用孔80、左右上ＬＥＤ（発光ダイオード）付風車用孔81Ａ、81Ｂ、左右袖入賞孔82Ａ、82Ｂ、左右下ＬＥＤ付風車用孔83Ａ、83Ｂ、始動領域孔84、左右ゲート孔85Ａ、85Ｂ、左右下入賞孔86Ａ、86Ｂおよび大入賞口孔87が穿孔されている。センターケース35の上部に配置された天釘70および始動領域61の上部に配置された命釘72は、遊技の性能を決定する重要な釘であるので、従来どおり、独立した複数の金属製釘を遊技盤本体に直接植設することとする。
【００１５】
図４の上図は、図１および図２中に示す上部遊技盤組立体30の詳細を示す正面図である。この上部遊技盤組立体30は、左右上ＬＥＤ付風車31Ａ、31Ｂ、左右下ＬＥＤ付風車32Ａ、32Ｂ、センターケース入口33、左右入賞口34Ａ、34Ｂ、センターケース35および特別図柄表示器36の各種構成部品および複数の板状部材37を含んでいる。好ましくは、これら各種構成部品31〜36および複数の板状部材が所定位置に配置され合成樹脂により一体成型（モールド）されている。
【００１６】
特別図柄表示器36は、好ましくは矩形状のカラー液晶表示パネルにより形成され、一般には３個の表示図柄を表示する図柄表示領域を有する。左右上ＬＥＤ付風車31、左右下ＬＥＤ付風車32、左右袖入賞口34および特別図柄表示器36は、それぞれ図３を参照して上述した風車取付孔81、83および入賞口孔82と位置合わせして、周辺部に設けられた複数の取付孔38に釘等の取付具を使用して遊技盤本体に取付けられる。
【００１７】
一方、図４の下図は、図１および図２を参照して上述した下部遊技盤組立体60の詳細構成を示す正面図である。この下部遊技盤組立体60は、始動領域61、左右下入賞口62Ａ、62Ｂおよび大入賞口63の各種構成部品および複数の板状部材64が合成樹脂により一体成型されている。また、周辺部には複数の取付孔65が形成されている。これら各種構成部品61〜63を、それぞれ図３を参照して上述した遊技盤本体の始動領域孔84、下入賞孔86および大入賞孔87に位置合わせし、上述した取付孔65に釘等を使用して遊技盤本体の取り付けられる。
【００１８】
図５は、図１および図２に示す左遊技盤組立体40および右遊技盤組立体50の詳細構成を示す正面図である。これら左右遊技盤組立体40、50は、対称構造であるので、左遊技盤組立体40のみについて詳細に説明する。この遊技盤組立体40は、例えば３個のＬＥＤにより構成される普通図柄表示器41および左ゲート42の構成部品および複数の板状部材43が、合成樹脂により一体成型されている。周辺部には、複数の取付孔44が形成されている。このゲート42を遊技盤本体のゲート孔85と位置合わせして、遊技盤本体に複数の釘等を使用して取付けられる。
【００１９】
以上、本発明による遊技機の好適な実施形態の構成および動作を説明した。しかし、この好適な実施形態は、本発明の単なる例示に過ぎず、何ら本発明を限定するものではない。本発明の要旨を逸脱することなく、特定用途に応じて種々の変形変更が可能である。例えば、遊技盤組立体30〜60は、必ずしも4個に分割する必要はなく、製造組立またはリサイクルに好適な１個または複数個に選定可能である。
【００２０】
【発明の効果】
以上の説明から理解されるように、本発明のパチンコ機によると、次のような実用上の顕著な効果を奏することができる。即ち、本発明のパチンコ機によると、遊技盤を構成する各種構成部品および多数の密に配列された釘に代わる板状部材を、例えば合成樹脂で一体成型し、または複数の遊技盤組立体により構成し、遊技盤本体に比較的少数の取付ねじ等により取付けまたは組み込み可能である。従って、遊技盤の組立製造およびリサイクルが簡単で、労力を大幅に節約することが可能である。一方、パチンコ機の性能を左右する天釘および命釘については、従来のように少数の金属製釘を遊技盤本体に直接植設することにより、パチンコ機の性能を維持することが可能である。
【図面の簡単な説明】
【図１】本発明による遊技機の好適な実施形態の遊技盤の組立状態を示す正面図である。
【図２】図１に示す遊技機の遊技盤本体および複数の遊技盤組立体を分離した正面図である。
【図３】図１に示す遊技機の遊技盤本体の正面図である。
【図４】図１中に示す遊技盤組立体の一部の詳細図であり、上図は上部遊技盤組立体、下図は下部遊技盤組立体を示す。
【図５】図１中に示す左右遊技盤組立体の詳細図である。
【図６】典型的な従来の遊技機用遊技盤の正面図である。
【図１】
0003638527.tif 000002
【図２】
0003638527.tif 000003
【図３】
0003638527.tif 000004
【図４】
0003638527.tif 000005
【図５】
0003638527.tif 000006
【図６】
0003638527.tif 000007